(57)【特許請求の範囲】
【請求項１】
接続方法であって、
集中ユニットの制御プレーンによって、接続を確立するための要求メッセージを前記集中ユニットのユーザプレーンに伝送することであって、前記要求メッセージは、前記制御プレーンに対応する第１の情報を含む、ことと、
前記制御プレーンによって、前記ユーザプレーンから、前記接続が正常に確立されていることを示す応答メッセージを受信することであって、前記応答メッセージは、前記ユーザプレーンに対応する第２の情報を含み、前記第２の情報は、
前記ユーザプレーンの識別（ＩＤ）と、
前記ユーザプレーンによってサポートされる公衆地上モバイルネットワークについての構成情報と、
前記ユーザプレーンによってサポートされるネットワークスライスについての構成情報と
を含む、ことと
を含む、接続方法。
【請求項２】
前記制御プレーンに対応する前記第１の情報は、前記制御プレーンの識別（ＩＤ）を含む、請求項１に記載の接続方法。
【請求項３】
前記応答メッセージは、前記接続が確立されることができないことを示し、前記応答メッセージは、前記接続が確立されることができない理由の第３の情報を含む、請求項１に記載の接続方法。
【請求項４】
前記ユーザプレーンに対応する前記第２の情報はさらに、
複製ベアラ容量がサポートされているかどうかに関する情報と、
分割ベアラ容量がサポートされているかどうかに関する情報と、
二次セル群の分割ベアラ容量がサポートされているかどうかに関する情報と、
サポートされる無線アクセス技術のタイプ情報と、
新しい無線パケットデータ収斂プロトコル容量がサポートされているかどうかに関する情報と、
ジャンボフレームがサポートされているかどうかに関する情報と
を含む、請求項１に記載の接続方法。
【請求項５】
前記ユーザプレーンに対応する前記第２の情報はさらに、
前記ユーザプレーンの帯域幅情報と、
前記ユーザプレーンによってサポートされるユーザ機器（ＵＥ）デバイスの最大数と、
前記ユーザプレーンによってサポートされる分散ユニットの最大数であって、前記分散ユニットは、前記集中ユニットに対応する、分散ユニットの最大数と
を含む、請求項１に記載の接続方法。
【請求項６】
前記ユーザプレーンの帯域幅情報は、前記ユーザプレーンによってサポートされるデータ速度および周波数帯域帯域幅についての情報を含む、請求項５に記載の接続方法。
【請求項７】
接続方法であって、
集中ユニットのユーザプレーンによって、接続を確立するための要求メッセージを前記集中ユニットの制御プレーンに伝送することであって、前記要求メッセージは、前記ユーザプレーンに対応する第１の情報を含む、ことと、
前記ユーザプレーンによって、前記制御プレーンから、前記接続が正常に確立されていることを示す応答メッセージを受信することであって、前記応答メッセージは、前記制御プレーンに対応する第２の情報を含み、前記第２の情報は、前記制御プレーンの識別（ＩＤ）を含む、ことと、
前記ユーザプレーンによって、容量更新メッセージを前記制御プレーンに伝送することであって、前記容量更新メッセージは、前記ユーザプレーンに対応する前記第１の情報を含む、ことと、
前記ユーザプレーンによって、前記制御プレーンから、容量更新肯定応答メッセージまたは容量更新失敗メッセージを受信することと
を含み、
前記ユーザプレーンに対応する前記第１の情報は、
前記ユーザプレーンの識別（ＩＤ）と、
前記ユーザプレーンによってサポートされる公衆地上モバイルネットワークについての構成情報と、
前記ユーザプレーンによってサポートされるネットワークスライスについての構成情報と
を含む、接続方法。
【請求項８】
プロセッサと、メモリと、通信バスとを備える、制御プレーンデバイスであって、
前記通信バスは、前記プロセッサと前記メモリとの間で接続通信を実装するように構成され、
前記プロセッサは、前記メモリ内に記憶される接続プログラムを実行し、以下のステップ、すなわち、
接続を確立するための要求メッセージをユーザプレーンデバイスに伝送することであって、前記要求メッセージは、前記制御プレーンデバイスに対応する第１の情報を含む、ことと、
前記ユーザプレーンデバイスから、前記接続が正常に確立されていることを示す応答メッセージを受信することであって、前記応答メッセージは、前記ユーザプレーンデバイスに対応する第２の情報を含み、前記第２の情報は、
前記ユーザプレーンデバイスの識別（ＩＤ）と、
前記ユーザプレーンデバイスによってサポートされる公衆地上モバイルネットワークについての構成情報と、
前記ユーザプレーンデバイスによってサポートされるネットワークスライスについての構成情報と
を含む、ことと
を実装するように構成される、制御プレーンデバイス。
【請求項９】
前記制御プレーンデバイスに対応する前記第１の情報は、前記制御プレーンデバイスの識別（ＩＤ）を含む、請求項８に記載の制御プレーンデバイス。
【請求項１０】
前記応答メッセージは、前記接続が確立されることができないことを示し、前記応答メッセージは、前記接続が確立されることができない理由の第３の情報を含む、請求項８に記載の制御プレーンデバイス。
【請求項１１】
前記ユーザプレーンデバイスに対応する前記第２の情報はさらに、
複製ベアラ容量がサポートされているかどうかに関する情報と、
分割ベアラ容量がサポートされているかどうかに関する情報と、
二次セル群の分割ベアラ容量がサポートされているかどうかに関する情報と、
サポートされる無線アクセス技術のタイプ情報と、
新しい無線パケットデータ収斂プロトコル容量がサポートされているかどうかに関する情報と、
ジャンボフレームがサポートされているかどうかに関する情報と
を含む、請求項８に記載の制御プレーンデバイス。
【請求項１２】
前記ユーザプレーンデバイスに対応する前記第２の情報はさらに、
前記ユーザプレーンデバイスの帯域幅情報と、
前記ユーザプレーンデバイスによってサポートされるユーザ機器（ＵＥ）デバイスの最大数と、
前記ユーザプレーンデバイスによってサポートされる分散ユニットの最大数であって、前記分散ユニットは、集中ユニットに対応する、分散ユニットの最大数と
を含む、請求項８に記載の制御プレーンデバイス。
【請求項１３】
前記ユーザプレーンデバイスの帯域幅情報は、前記ユーザプレーンデバイスによってサポートされるデータ速度および周波数帯域帯域幅についての情報を含む、請求項１２に記載の制御プレーンデバイス。
【請求項１４】
プロセッサと、メモリと、通信バスとを備える、ユーザプレーンデバイスであって、
前記通信バスは、前記プロセッサと前記メモリとの間に接続通信を実装するように構成され、
前記プロセッサは、前記メモリ内に記憶される接続プログラムを実行し、以下のステップ、すなわち、
接続を確立するための要求メッセージを制御プレーンデバイスに伝送することであって、前記要求メッセージは、前記ユーザプレーンデバイスに対応する第１の情報を含む、ことと、
前記制御プレーンデバイスから、前記接続が正常に確立されていることを示す応答メッセージを受信することであって、前記応答メッセージは、前記制御プレーンデバイスに対応する第２の情報を含み、前記第２の情報は、前記制御プレーンデバイスの識別（ＩＤ）を含む、ことと、
容量更新メッセージを前記制御プレーンデバイスに伝送することであって、前記容量更新メッセージは、前記ユーザプレーンデバイスに対応する前記第１の情報を含む、ことと、
前記制御プレーンデバイスから、容量更新肯定応答メッセージまたは容量更新失敗メッセージを受信することと
を実装するように構成され、
前記ユーザプレーンデバイスに対応する前記第１の情報は、
前記ユーザプレーンデバイスの識別（ＩＤ）と、
前記ユーザプレーンデバイスによってサポートされる公衆地上モバイルネットワークについての構成情報と、
前記ユーザプレーンデバイスによってサポートされるネットワークスライスについての構成情報と
を含む、ユーザプレーンデバイス。
【発明の詳細な説明】
【技術分野】
【０００１】
（関連出願の相互参照）
本願は、その開示が、参照することによってその全体としてそれに組み込まれる、「ＣＯＮＮＥＣＴＩＯＮ  ＭＥＴＨＯＤ，  ＣＯＮＦＩＧＵＲＡＴＩＯＮ  ＵＰＤＡＴＩＮＧ  ＭＥＴＨＯＤ，  ＣＯＮＴＲＯＬ  ＰＬＡＮＥ  ＤＥＶＩＣＥ  ＡＮＤ  ＵＳＥＲ  ＰＬＡＮＥ  ＤＥＶＩＣＥ」と題され、２０１７年８月１０日に出願された、中国特許出願第２０１７１０６８２４６０．０号の優先権を主張する。
【０００２】
（技術分野）
本開示は、限定ではないが、無線通信の技術分野に関し、特に、接続確立方法、制御プレーンデバイス、およびユーザプレーンデバイスに関する。
【背景技術】
【０００３】
（背景）
５Ｇモバイル通信時代の到来により、大規模なコネクティビティのより高いデータ伝送速度要件は、フロントホールネットワークインターフェース、すなわち、ロングタームエボリューション（ＬＴＥ）システムにおけるビルディングベースバンドユニット（ＢＢＵ）と遠隔無線ユニット（ＲＲＵ）との間の共通公衆無線インターフェース（ＣＰＲＩ）の伝送容量に対して大きな課題をもたらす。ＣＰＲＩインターフェースは、物理層エンコードおよび変調によって処理される同相／直交（ＩＱ）信号を伝送し、対応するデジタルビットストリーム速度は、膨大であるため、ＣＰＲＩインターフェースは、伝送遅延および帯域幅に関してより高い要件を有する。５Ｇエアインターフェースが、数十Ｇｂｐｓの増加された速度を有するとき、ＣＰＲＩインターフェースのトラフィックに関する要件は、Ｔｂｐｓレベルに到達し、これは、ネットワーク展開費用および困難度を大いに圧迫する。
【発明の概要】
【発明が解決しようとする課題】
【０００４】
（要約）
本開示は、接続方法、構成更新方法、制御プレーンデバイス、およびユーザプレーンデバイスを提供する。
【課題を解決するための手段】
【０００５】
本開示の実施形態のソリューションは、下記に説明されるように実装される。
本開示の実施形態は、接続方法を提供する。本方法は、
制御プレーンデバイスによって、接続を確立するための第１の要求メッセージをユーザプレーンデバイスに伝送することであって、接続を確立するための第１の要求メッセージは、制御プレーンデバイスについての情報を含む、ことと、
ユーザプレーンデバイスによって、接続が正常に確立されていることを示す第１の応答メッセージまたは接続が確立されることができないことを示す第１の応答メッセージを制御プレーンデバイスに伝送することであって、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む、ことと
を含む。
本開示の実施形態はさらに、接続方法を提供する。本方法は、
ユーザプレーンデバイスによって、接続を確立するための第２の要求メッセージを制御プレーンデバイスに伝送することであって、接続を確立するための第２の要求メッセージは、ユーザプレーンデバイスについての情報を含む、ことと、
制御プレーンデバイスによって、接続が正常に確立されていることを示す第２の応答メッセージまたは接続が確立されることができないことを示す第２の応答メッセージをユーザプレーンデバイスに伝送することであって、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む、ことと
を含む。
【０００６】
本開示の実施形態はさらに、構成更新方法を提供する。本方法は、
ユーザプレーンデバイスによって、容量更新メッセージを制御プレーンデバイスに伝送することであって、容量更新メッセージは、ユーザプレーンデバイスについての情報を含む、ことと、
制御プレーンデバイスによって、容量更新肯定応答メッセージまたは容量更新失敗メッセージをユーザプレーンデバイスに伝送することであって、容量更新肯定応答メッセージは、制御プレーンデバイスについての情報を含み、容量更新失敗メッセージは、制御プレーンデバイスについての情報と、容量更新が失敗する理由とを含む、ことと
を含む。
【０００７】
本開示の実施形態はさらに、制御プレーンデバイスを提供する。制御プレーンデバイスは、プロセッサと、メモリと、通信バスとを含む。
【０００８】
通信バスは、プロセッサとメモリとの間に接続通信を実装するように構成される。
【０００９】
プロセッサは、メモリ内に記憶される接続プログラムを実行し、以下のステップ、すなわち、
接続を確立するための第１の要求メッセージをユーザプレーンデバイスに伝送することであって、接続を確立するための第１の要求メッセージは、制御プレーンデバイスについての情報を含む、ことと、
接続が正常に確立されていることを示す第１の応答メッセージまたは接続が確立されることができないことを示す第１の応答メッセージをユーザプレーンデバイスから受信することであって、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む、ことと
を実装するように構成される。
【００１０】
本開示の実施形態はさらに、ユーザプレーンデバイスを提供する。ユーザプレーンデバイスは、プロセッサと、メモリと、通信バスとを含む。
【００１１】
通信バスは、プロセッサとメモリとの間に接続通信を実装するように構成される。
【００１２】
プロセッサは、メモリ内に記憶される接続プログラムを実行し、以下のステップ、すなわち、
接続を確立するための第２の要求メッセージを制御プレーンデバイスに伝送することであって、接続を確立するための第２の要求メッセージは、ユーザプレーンデバイスについての情報を含む、ことと、
接続が正常に確立されていることを示す第２の応答メッセージまたは接続が確立されることができないことを示す第２の応答メッセージを制御プレーンデバイスから受信することであって、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む、ことと
を実装するように構成される。
【００１３】
本開示の実施形態はさらに、ユーザプレーンデバイスを提供する。ユーザプレーンデバイスは、プロセッサと、メモリと、通信バスとを含む。
【００１４】
通信バスは、プロセッサとメモリとの間に接続通信を実装するように構成される。
【００１５】
プロセッサは、メモリ内に記憶される接続プログラムを実行し、以下のステップ、すなわち、
容量更新メッセージを制御プレーンデバイスに伝送することであって、容量更新メッセージは、ユーザプレーンデバイスについての情報を含む、ことと、
容量更新肯定応答メッセージまたは容量更新失敗メッセージを制御プレーンデバイスから受信することであって、容量更新肯定応答メッセージは、制御プレーンデバイスについての情報を含み、容量更新失敗メッセージは、制御プレーンデバイスについての情報と、容量更新が失敗する理由とを含む、ことと
を実装するように構成される。
【００１６】
本開示の実施形態は、コンピュータ記憶媒体を提供する。コンピュータ記憶媒体はさらに、コンピュータ実行可能命令を記憶するように構成され、実行された後、コンピュータ実行可能命令は、上記に説明される技術的ソリューションのうちの１つ以上によって提供される接続方法または構成更新方法を実装することが可能である。
本願明細書は、例えば、以下の項目も提供する。
（項目１）
接続方法であって、
制御プレーンデバイスによって、接続を確立するための第１の要求メッセージをユーザプレーンデバイスに伝送することであって、前記接続を確立するための前記第１の要求メッセージは、前記制御プレーンデバイスについての情報を含む、ことと、
前記ユーザプレーンデバイスによって、前記接続が正常に確立されていることを示す第１の応答メッセージまたは前記接続が確立されることができないことを示す第１の応答メッセージを前記制御プレーンデバイスに伝送することであって、前記接続が正常に確立されていることを示す前記第１の応答メッセージは、前記ユーザプレーンデバイスについての情報を含み、前記接続が確立されることができないことを示す前記第１の応答メッセージは、前記ユーザプレーンデバイスについての情報と、前記接続が確立されることができない理由とを含む、ことと
を含む、接続方法。
（項目２）
前記制御プレーンデバイスについての情報は、
前記制御プレーンデバイスの識別（ＩＤ）と、
前記制御プレーンデバイスによる前記ユーザプレーンデバイスとのインターフェースを確立するための１つ以上のインターネットプロトコルアドレスについての情報と
のうちのいずれか１つまたはそれらの組み合わせを含む、項目１に記載の接続方法。
（項目３）
前記ユーザプレーンデバイスについての情報は、
前記ユーザプレーンデバイスのＩＤと、
前記ユーザプレーンデバイスによる前記制御プレーンデバイスとのインターフェースを確立するための１つ以上のインターネットプロトコルアドレスについての情報と、
前記ユーザプレーンデバイスの容量情報と
のうちのいずれか１つまたはそれらの組み合わせを含む、項目１に記載の接続方法。
（項目４）
前記ユーザプレーンデバイスの容量情報は、
前記ユーザプレーンデバイスの帯域幅情報と、
前記ユーザプレーンデバイスによってサポートされるＵＥの最大数と、
前記ユーザプレーンデバイスによってサポートされる分散処理ユニットの最大数と
のうちのいずれか１つまたはそれらの組み合わせを含む、項目３に記載の接続方法。
（項目５）
前記ユーザプレーンデバイスの帯域幅情報は、前記ユーザプレーンデバイスによってサポートされるデータ速度および周波数帯域帯域幅についての情報を含む、項目４に記載の接続方法。
（項目６）
前記ユーザプレーンデバイスの容量情報はさらに、
前記ユーザプレーンデバイスに接続される分散処理ユニットについての情報と、
前記ユーザプレーンデバイスに接続される制御プレーンデバイスについての情報と、
前記ユーザプレーンデバイスによってサポートされる公衆地上モバイルネットワークについての構成情報と、
前記ユーザプレーンデバイスによってサポートされるネットワークスライスについての構成情報と、
前記ユーザプレーンデバイスによってサポートされるユーザプレーンデータに関するパケットデータ収斂プロトコルおよび単純なＤＦＳアクセスプロトコルのバージョン数情報と、
前記ユーザプレーンデバイスによってサポートされるセキュアな処理容量についての情報と
のうちのいずれか１つまたはそれらの組み合わせを含む、項目３に記載の接続方法。
（項目７）
前記ユーザプレーンデバイスに接続される制御プレーンデバイスについての情報は、前記ユーザプレーンデバイスに接続される制御プレーンデバイスのリスト、および前記ユーザプレーンデバイスと前記制御プレーンデバイスのそれぞれとの間の接続属性情報のうちのいずれか１つまたはそれらの組み合わせを含む、項目６に記載の接続方法。
（項目８）
前記接続属性情報は、
接続帯域幅と、
サポートされる速度と、
接続遅延と
のうちのいずれか１つまたはそれらの組み合わせを含む、項目７に記載の接続方法。
（項目９）
前記ユーザプレーンデバイスによってサポートされるセキュアな処理容量についての情報は、前記ユーザプレーンデバイスによってサポートされる暗号化アルゴリズム、完全性保護アルゴリズム、およびヘッダ圧縮アルゴリズムの情報のうちのいずれか１つまたはそれらの組み合わせを含む、項目６に記載の接続方法。
（項目１０）
前記ユーザプレーンデバイスの容量情報はさらに、前記ユーザプレーンデバイスによってサポートされる機能についての情報を含み、前記機能についての情報は、
複製ベアラ容量がサポートされているかどうかに関する情報と、
分割ベアラ容量がサポートされているかどうかに関する情報と、
二次セル群の分割ベアラ容量がサポートされているかどうかに関する情報と、
サポートされる無線アクセス技術のタイプ情報と、
新しい無線パケットデータ収斂プロトコル容量がサポートされているかどうかに関する情報と、
ジャンボフレームがサポートされているかどうかに関する情報と
のうちのいずれか１つまたはそれらの組み合わせを含む、項目６に記載の接続方法。
（項目１１）
接続方法であって、
ユーザプレーンデバイスによって、接続を確立するための第２の要求メッセージを制御プレーンデバイスに伝送することであって、前記接続を確立するための前記第２の要求メッセージは、前記ユーザプレーンデバイスについての情報を含む、ことと、
前記制御プレーンデバイスによって、前記接続が正常に確立されていることを示す第２の応答メッセージまたは前記接続が確立されることができないことを示す第２の応答メッセージを前記ユーザプレーンデバイスに伝送することであって、前記接続が正常に確立されていることを示す前記第２の応答メッセージは、前記制御プレーンデバイスについての情報を含み、前記接続が確立されることができないことを示す前記第２の応答メッセージは、前記制御プレーンデバイスについての情報と、前記接続が確立されることができない理由とを含む、ことと
を含む、接続方法。
（項目１２）
構成更新方法であって、
ユーザプレーンデバイスによって、容量更新メッセージを制御プレーンデバイスに伝送することであって、前記容量更新メッセージは、前記ユーザプレーンデバイスについての情報を含む、ことと、
前記制御プレーンデバイスによって、容量更新肯定応答メッセージまたは容量更新失敗メッセージを前記ユーザプレーンデバイスに伝送することであって、前記容量更新肯定応答メッセージは、前記制御プレーンデバイスについての情報を含み、前記容量更新失敗メッセージは、前記制御プレーンデバイスについての情報と、前記容量更新が失敗する理由とを含む、ことと
を含む、構成更新方法。
（項目１３）
プロセッサと、メモリと、通信バスとを備える、制御プレーンデバイスであって、
前記通信バスは、前記プロセッサと前記メモリとの間に接続通信を実装するように構成され、
前記プロセッサは、前記メモリ内に記憶される接続プログラムを実行し、以下のステップ、すなわち、
接続を確立するための第１の要求メッセージをユーザプレーンデバイスに伝送することであって、前記接続を確立するための前記第１の要求メッセージは、前記制御プレーンデバイスについての情報を含む、ことと、
前記接続が正常に確立されていることを示す第１の応答メッセージまたは前記接続が確立されることができないことを示す第１の応答メッセージを前記ユーザプレーンデバイスから受信することであって、前記接続が正常に確立されていることを示す前記第１の応答メッセージは、前記ユーザプレーンデバイスについての情報を含み、前記接続が確立されることができないことを示す前記第１の応答メッセージは、前記ユーザプレーンデバイスについての情報と、前記接続が確立されることができない理由とを含む、ことと
を実装するように構成される、制御プレーンデバイス。
（項目１４）
プロセッサと、メモリと、通信バスとを備える、ユーザプレーンデバイスであって、
前記通信バスは、前記プロセッサと前記メモリとの間に接続通信を実装するように構成され、
前記プロセッサは、前記メモリ内に記憶される接続プログラムを実行し、以下のステップ、すなわち、
接続を確立するための第２の要求メッセージを制御プレーンデバイスに伝送することであって、前記接続を確立するための前記第２の要求メッセージは、前記ユーザプレーンデバイスについての情報を含む、ことと、
前記接続が正常に確立されていることを示す第２の応答メッセージまたは前記接続が確立されることができないことを示す第２の応答メッセージを前記制御プレーンデバイスから受信することであって、前記接続が正常に確立されていることを示す前記第２の応答メッセージは、前記制御プレーンデバイスについての情報を含み、前記接続が確立されることができないことを示す前記第２の応答メッセージは、前記制御プレーンデバイスについての情報と、前記接続が確立されることができない理由とを含む、ことと
を実装するように構成される、ユーザプレーンデバイス。
（項目１５）
プロセッサと、メモリと、通信バスとを備える、ユーザプレーンデバイスであって、
前記通信バスは、前記プロセッサと前記メモリとの間に接続通信を実装するように構成され、
前記プロセッサは、前記メモリ内に記憶される接続プログラムを実行し、以下のステップ、すなわち、
容量更新メッセージを制御プレーンデバイスに伝送することであって、前記容量更新メッセージは、前記ユーザプレーンデバイスについての情報を含む、ことと、
容量更新肯定応答メッセージまたは容量更新失敗メッセージを前記制御プレーンデバイスから受信することであって、前記容量更新肯定応答メッセージは、前記制御プレーンデバイスについての情報を含む、ことと
を実装するように構成される、ユーザプレーンデバイス。
（項目１６）
コンピュータ実行可能命令を記憶するためのコンピュータ記憶媒体であって、実行された後、前記コンピュータ実行可能命令は、項目１−１０、１１、または１２のいずれか１項に記載の方法を実装することが可能である、コンピュータ記憶媒体。
【００１７】
本明細書に説明される図面は、本開示のさらなる理解を提供するために使用され、本願の一部を形成する。本開示における例示的実施形態およびその説明は、本開示を解説するために使用され、いかようにも不適切に本開示を限定しない。
【図面の簡単な説明】
【００１８】
【図１】図１は、５Ｇ  ＮＲシステムにおける第１のネットワーク要素と第２のネットワーク要素との間のインターフェースを図示する、構造図である。
【図２】図２は、本開示のいくつかの実施形態による、接続方法のフローチャートである。
【図３】図３は、本開示のある実施形態による、接続方法のフローチャートである。
【図４】図４は、本開示のいくつかの実施形態による、構成更新方法のフローチャートである。
【図５】図５は、本開示のある実施形態による、制御プレーンデバイスを図示する、構造図である。
【図６】図６は、本開示のいくつかの実施形態による、ユーザプレーンデバイスを図示する、構造図である。
【図７】図７は、本開示のある実施形態による、ユーザプレーンデバイスを図示する、構造図である。
【図８】図８は、本開示のある実施形態による、制御プレーンデバイスとユーザプレーンデバイスと第２のネットワーク要素との間のインターフェースを図示する、構造図である。
【図９】図９は、本開示のある実施形態による、ユーザプレーンデバイスとの接続を確立するために、制御プレーンデバイスによって開始される要求を図示する、フローチャートである。
【図１０】図１０は、本開示のある実施形態による、制御プレーンデバイスとの接続を確立するために、ユーザプレーンデバイスによって開始される要求を図示する、フローチャートである。
【図１１】図１１は、本開示のある実施形態による、ユーザプレーンデバイスによって開始される構成更新要求を図示する、フローチャートである。
【発明を実施するための形態】
【００１９】
（詳細な説明）
本開示の目的、技術的ソリューション、および利点は、図面と併せた本開示の実施形態の詳細な説明からより明白となるであろう。対立しない場合、本開示における実施形態およびそれにおける特徴は、相互に組み合わせられ得ることに留意されたい。
【００２０】
５Ｇの新しい無線（ＮＲ）システムでは、フロントホールネットワークインターフェースの分割は、伝送容量、伝送遅延、および展開利便性を包括的に考慮することによって再定義される必要がある。図１に示されるように、非理想的フロントホールネットワーク伝送では、遅延非感受性ネットワーク機能が、第１のネットワーク要素（例えば、集中ユニット（ＣＵ））内に設置され、遅延感受性ネットワーク機能が、第２のネットワーク要素（例えば、分散ユニット（ＤＵ））内に設置される。第１のネットワーク要素および第２のネットワーク要素は、理想的および／または非理想的フロントホールネットワークを通して伝送を実施する。
【００２１】
異なるサービス品質（ＱｏＳ）によって要求される５Ｇユーザサービスおよび不均衡なユーザサービス物理的分散は、５Ｇネットワークのネットワーク展開およびデータ伝送性能に関する異なる要件を有する。異なるタイプを伴うこれらのデータサービスは、多くの場合、インターリーブされる、またはローカルホットスポットエリアにおいて激増し、したがって、現在の比較的に閉鎖されたネットワークアーキテクチャは、種々の５Ｇ通信シナリオを効率的にサポートすることができない。既存の第１のネットワーク要素内の制御プレーン（ＣＰ）およびユーザプレーン（ＵＰ）機能セットは、論理層によってすでに分割されているが、それらは、単一のネットワーク要素内に物理的に統合される。したがって、第１のネットワーク要素および第２のネットワーク要素の分割に基づいて、第１のネットワーク要素内のＣＰおよびＵＰは、ＣＰおよびＵＰが、異なる地理的位置において展開され、独立して構成され、リソース拡張および機能アップグレードを実行されることが可能であり、それによって、種々の５Ｇサービスの要件をより柔軟かつ効率的に満たすように、伝送遅延、負荷平衡、多製造者デバイス相互運用性、および展開費用を包括的に考慮することによってさらに物理的に分割される。
【００２２】
展開位置の観点から、ＣＰエンティティは、ＣＵエンティティ等のネットワークセントラルオフィス内に展開されることが可能であり、複数のＵＰエンティティが、その地区内で管理され、ＵＰエンティティの間のサービス負荷が、負荷平衡の目的を達成するために効率的に協調され、また、ＣＰエンティティは、要件に従ってネットワークのエッジ上のＤＵエンティティに近接する位置に展開されることが可能であり、したがって、無線リソース制御（ＲＲＣ）制御プレーンのシグナリング相互作用遅延は、大幅に短縮されることが可能であり、超高信頼および低遅延通信（ＵＲＬＬＣ）等の低遅延サービスの要件を完全に満たす。
【００２３】
オペレータの観点から、ＣＰおよびＵＰの分離は、より柔軟かつ効率的なネットワーク展開モードを構築することが可能であり、これはさらに、ネットワーク性能を強化しながら展開費用を削減することができる。一方、ＣＰおよびＵＰの物理的分離ならびに関連するインターフェースの標準化は、ＣＰおよびＵＰデバイスの間の相互運用性を大幅に強化し、ＣＰエンティティおよびＵＰエンティティが異なる製造業者のデバイスを採用することを可能にし、また、オペレータが５Ｇインフラストラクチャの購入費用をさらに削減するために有益である。
【００２４】
エアインターフェースユーザプレーン分割の観点から、ＣＰエンティティは、ＲＲＣと、制御プレーンシグナリングのためのパケットデータ収斂プロトコル−制御（ＰＤＣＰ−Ｃ）処理層とを含み、ＵＰエンティティは、サービスデータ適合プロトコル（ＳＤＡＰ）と、パケットデータ収斂プロトコル−ユーザ（ＰＤＣＰ−Ｕ）ユーザプレーンデータとを含む。多対多マッピング接続モードが、ＣＰとＵＰとの間で採用されることが可能であり、１つのＣＰが、複数のＵＰを同時に管理することができ、１つのＵＰによって提供されるリソースが、複数のＣＰによって共有されることができる。多対多接続関係がＣＰとＵＰとの間に存在するため、一方では、動作保守管理（ＯＡＭ）プラットフォームまたはＯＡＭプラットフォーム以外のネットワーク要素を用いて等のＣＰとＵＰとの間のインターフェースの確立および構成更新を実装する方法は、既存の技術で調整されず、他方では、可能な限りシグナリングオーバーヘッドおよび遅延を低減させ、大きいシグナリングオーバーヘッドによって引き起こされるフロントホールインターフェースの負荷を低減させる方法は、既存の技術で調整される。これに照らして、本開示の実施形態では、相互から分離されるＣＰとＵＰとの間の接続を確立するプロセスでは、ＣＰおよびＵＰの情報が、搬送されるであろう。例えば、ＣＰは、接続確立要求メッセージ内でその独自の制御プレーンデバイスについての情報を搬送する。制御プレーンデバイスについての情報は、ＣＵとＵＰとの間の接続を確立するためのユーザプレーンデバイスについての情報を含んでもよく、また、この時点でＣＵとＵＰとの間に接続を確立するために使用されないユーザプレーン機器情報を含んでもよい。このように、一方で、ユーザプレーンデバイスについての情報は、接続確立のために使用されてもよい、または接続確立のために使用されない場合がある。しかし、ＣＰがＵＰのユーザプレーンデバイスについての情報を把握した後、ＵＰプレーンのサービスデータ伝送が、制御されてもよい。例えば、ユーザプレーン制御情報は、ＣＰとＵＰとの間の接続確立のために使用され得るＵＰ  ＩＤを含んでもよく、また、ＵＰベアラ属性（例えば、ＵＰが複製ベアラ容量情報をサポートしているかどうか、ＵＰが分割ベアラ容量情報をサポートしているかどうか、ＵＰが無線パケットデータ収斂プロトコル容量をサポートしているかどうか）を含んでもよく、このように、ＣＰは、続けて、これらの容量に従ってＵＰが保有および／または伝送するようにＣＰが認識し得るサービスデータを選択することができる。このように、接続確立または容量更新のために使用される接続確立要求メッセージ、接続確立応答メッセージ（接続確立失敗応答および接続確立成功応答を含む）、容量更新メッセージ、容量更新肯定応答メッセージ、もしくは容量更新失敗メッセージでは、制御プレーンデバイスについての情報およびユーザプレーンデバイスについての情報が、保有され、１つのメッセージが複数の情報を保有することを実装する。それぞれ、接続確立または容量更新を伝送し、制御プレーンデバイスについての情報およびユーザプレーンデバイスについての情報を双方向的に制御する専用シグナリングと比���して、シグナリングオーバーヘッドは、低減され、接続確立の間に続けて使用され得る制御プレーンデバイスの情報およびユーザプレーンデバイスについての情報の相互作用が、完了される。したがって、メッセージが使用される必要があるとき、専用要求は、必要とされず、制御プレーンデバイスについての情報およびユーザプレーンデバイスについての情報を取得するための遅延は、短縮される。加えて、ＣＰまたはＵＰは、構成更新で実施され、これは、ＣＰおよびＵＰ構成更新プロセスで、容量更新情報を通して同期的にＣＰまたはＵＰが、制御プレーンデバイスについての更新された情報およびユーザプレーンデバイスについての情報を時間内に通知されることを可能にし、後続使用遅延を短縮してもよい。したがって、本開示によって提供されるソリューションは、小さいシグナリングオーバーヘッド、および制御デバイス情報ならびにユーザプレーンデバイスについての情報の小さい使用遅延を有する。
【００２５】
図２に示されるように、本開示の接続方法は、下記に説明されるステップを含んでもよい。
【００２６】
ステップ２０１では、制御プレーンデバイスは、接続を確立するための第１の要求メッセージをユーザプレーンデバイスに伝送し、接続を確立するための第１の要求メッセージは、制御プレーンデバイスについての情報を含む。
ステップ２０１の前に、本方法はさらに、
制御プレーンデバイスおよびユーザプレーンデバイスが、それぞれ、動作管理保守プラットフォームからその独自の構成情報を取得し、制御プレーンデバイスの構成情報は、制御プレーンデバイスについての情報を含み、ユーザプレーンデバイスの構成情報は、ユーザプレーンデバイスについての情報を含むことを含むことに留意されたい。
いくつかの実施形態では、制御プレーンデバイスについての情報は、
制御プレーンデバイスの識別（ＩＤ）と、
制御プレーンデバイスによるユーザプレーンデバイスとのインターフェースを確立するための１つ以上のインターネットプロトコル（ＩＰ）アドレスについての情報と
のうちのいずれか１つまたはそれらの組み合わせを含む。
【００２７】
いくつかの実施形態では、ユーザプレーンデバイスについての情報は、
ユーザプレーンデバイスのＩＤと、
ユーザプレーンデバイスによる制御プレーンデバイスとのインターフェースを確立するための１つ以上のＩＰアドレスについての情報と、
ユーザプレーンデバイスの容量情報と
のうちのいずれか１つまたはそれらの組み合わせを含む。
いくつかの実施形態では、ユーザプレーンデバイスの容量情報は、
ユーザプレーンデバイスの帯域幅情報と、
ユーザプレーンデバイスによってサポートされるＵＥの最大数と、
ユーザプレーンデバイスによってサポートされる分散処理ユニットの最大数と
のうちのいずれか１つまたはそれらの組み合わせを含む。
【００２８】
本開示のいくつかの実施形態では、ユーザプレーンデバイスの帯域幅情報は、ユーザプレーンデバイスによってサポートされるデータ速度および周波数帯域帯域幅についての情報を含む。
【００２９】
いくつかの実施形態では、ユーザプレーンデバイスの容量情報はさらに、
ユーザプレーンデバイスに接続される分散処理ユニットについての情報と、
ユーザプレーンデバイスに接続される制御プレーンデバイスについての情報と、
ユーザプレーンデバイスによってサポートされる公衆地上モバイルネットワーク（ＰＬＭＮ）についての構成情報と、
ユーザプレーンデバイスによってサポートされるネットワークスライスについての構成情報と、
ユーザプレーンデバイスによってサポートされるユーザプレーンデータに関するパケットデータ収斂プロトコルおよび単純なＤＦＳアクセスプロトコルのバージョン数情報と、
ユーザデバイスによってサポートされるセキュアな処理容量についての情報と
のうちのいずれか１つまたはそれらの組み合わせを含む。
【００３０】
本開示のいくつかの実施形態では、ユーザプレーンデバイスに接続される制御プレーンデバイスについての情報は、ユーザプレーンデバイスに接続される制御プレーンデバイスのリストおよびユーザプレーンデバイスと各制御プレーンデバイスとの間の接続属性情報のうちのいずれか１つまたはそれらの組み合わせを含む。
【００３１】
本開示のいくつかの実施形態では、ユーザプレーンデバイスに接続される分散処理ユニットについての情報は、ユーザプレーンデバイスに接続される分散処理ユニットのリストと、ユーザプレーンデバイスと各分散処理ユニットとの間の接続属性情報とを含む。
【００３２】
いくつかの実施形態では、接続属性情報は、
接続帯域幅と、
サポートされる速度と、
接続遅延と
のうちのいずれか１つまたはそれらの組み合わせを含む。
【００３３】
本開示のいくつかの実施形態では、ユーザプレーンデバイスによってサポートされるＰＬＭＮについての構成情報は、ユーザプレーンデバイスによってサポートされるＰＬＭＮについてのタイプ情報と、各ＰＬＭＮタイプによって占有されるリソース割当情報とを含む。
【００３４】
本開示のいくつかの実施形態では、ユーザプレーンデバイスによってサポートされるスライスについての構成情報は、ユーザプレーンデバイスによってサポートされるスライスについてのタイプ情報と、各スライスタイプによって占有されるリソース割当情報とを含む。
【００３５】
いくつかの実施形態では、ユーザプレーンデバイスによってサポートされるセキュアな処理容量についての情報は、限定ではないが、ユーザプレーンデバイスによってサポートされる暗号化アルゴリズム、完全性保護アルゴリズム、およびヘッダ圧縮アルゴリズムの情報を含む。
【００３６】
ユーザプレーンデバイスの容量情報はさらに、ユーザプレーンデバイスによってサポートされる機能についての情報を含み、機能についての情報は、以下、すなわち、
複製ベアラがサポートされているかどうかに関する情報と、
分割ベアラがサポートされているかどうかに関する情報と、
二次セル群（ＳＣＧ）分割ベアラがサポートされているかどうかに関する情報と、
サポートされる無線アクセス技術（ＲＡＴ）タイプについての情報と、
ＮＲ  ＰＤＣＰがサポートされているかどうかに関する情報と、
ジャンボフレームがサポートされているかどうかに関する情報と
のうちのいずれか１つまたはそれらの組み合わせを含む。
【００３７】
ステップ２０２では、ユーザプレーンデバイスは、接続が正常に確立されていることを示す第１の応答メッセージまたは接続が確立されることができないことを示す第１の応答メッセージを制御プレーンデバイスに伝送し、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む。
【００３８】
図３に示されるように、本開示の接続方法は、下記に説明されるステップを含んでもよい。
【００３９】
ステップ３０１では、ユーザプレーンデバイスは、接続を確立するための第２の要求メッセージを制御プレーンデバイスに伝送し、接続を確立するための第２の要求メッセージは、ユーザプレーンデバイスについての情報を含む。
【００４０】
ステップ３０１の前に、本方法はさらに、
制御プレーンデバイスおよびユーザプレーンデバイスが、それぞれ、動作管理保守プラットフォームからその独自の構成情報を取得し、制御プレーンデバイスの構成情報は、制御プレーンデバイスについての情報を含み、ユーザプレーンデバイスの構成情報は、ユーザプレーンデバイスについての情報を含むことを含むことに留意されたい。
【００４１】
いくつかの実施形態では、制御プレーンデバイスについての情報の内容は、ステップ２０１に説明されるものと同一であり、したがって、本明細書に説明されないであろう。
【００４２】
いくつかの実施形態では、ユーザプレーンデバイスについての情報の内容は、ステップ２０１に説明されるものと同一であり、したがって、本明細書に説明されないであろう。
【００４３】
ステップ３０２では、制御プレーンデバイスは、接続が正常に確立されていることを示す第２の応答メッセージまたは接続が確立されることができないことを示す第２の応答メッセージをユーザプレーンデバイスに伝送し、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む。
【００４４】
図４に示されるように、本開示の構成更新方法は、下記に説明されるステップを含んでもよい。
【００４５】
ステップ４０１では、ユーザプレーンデバイスは、容量更新メッセージを制御プレーンデバイスに伝送し、容量更新メッセージは、ユーザプレーンデバイスについての情報を含む。
【００４６】
ステップ４０１の前に、本方法はさらに、
制御プレーンデバイスおよびユーザプレーンデバイスが、それぞれ、動作管理保守プラットフォームからその独自の構成情報を取得し、制御プレーンデバイスの構成情報は、制御プレーンデバイスについての情報を含み、ユーザプレーンデバイスの構成情報は、ユーザプレーンデバイスについての情報を含み、
接続が、制御プレーンデバイスとユーザプレーンデバイスとの間に確立される（接続を確立するための要求が、制御プレーンデバイスまたはユーザプレーンデバイスによって開始され得る）、ことを含むことに留意されたい。
【００４７】
いくつかの実施形態では、制御プレーンデバイスについての情報の内容は、ステップ２０１に説明されるものと同一であり、したがって、本明細書に説明されないであろう。
【００４８】
いくつかの実施形態では、ユーザプレーンデバイスについての情報の内容は、ステップ２０１に説明されるものと同一であり、したがって、本明細書に説明されないであろう。
【００４９】
ステップ４０２では、制御プレーンデバイスは、容量更新肯定応答メッセージまたは容量更新失敗メッセージをユーザプレーンデバイスに伝送し、容量更新肯定応答メッセージは、制御プレーンデバイスについての情報を含み、容量更新失敗メッセージは、制御プレーンデバイスについての情報と、容量更新が失敗する理由とを含む。
【００５０】
本開示の実施形態はさらに、接続方法を提供する。本方法は、
制御プレーンデバイスによって、接続を確立するための第１の要求メッセージをユーザプレーンデバイスに伝送することであって、接続を確立するための第１の要求メッセージは、制御プレーンデバイスについての情報を含む、ことと、
制御プレーンデバイスによって、接続が正常に確立されていることを示す第１の応答メッセージまたは接続が確立されることができないことを示す第１の応答メッセージをユーザプレーンデバイスから受信することであって、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む、ことと
を含む。
【００５１】
いくつかの実施形態では、制御プレーンデバイスについての情報の内容は、ステップ２０１に説明されるものと同一であり、したがって、本明細書に説明されないであろう。
【００５２】
いくつかの実施形態では、ユーザプレーンデバイスについての情報の内容は、ステップ２０１に説明されるものと同一であり、したがって、本明細書に説明されないであろう。
【００５３】
本開示の実施形態はさらに、接続方法を提供する。本方法は、
ユーザプレーンデバイスによって、接続を確立するための第２の要求メッセージを制御プレーンデバイスに伝送することであって、接続を確立するための第２の要求メッセージは、ユーザプレーンデバイスについての情報を含む、ことと、
ユーザプレーンデバイスによって、接続が正常に確立されていることを示す第２の応答メッセージまたは接続が確立されることができないことを示す第２の応答メッセージを制御プレーンデバイスから受信することであって、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む、ことと
を含む。
【００５４】
いくつかの実施形態では、制御プレーンデバイスについての情報の内容は、ステップ２０１に説明されるものと同一であり、したがって、本明細書に説明されないであろう。
【００５５】
いくつかの実施形態では、ユーザプレーンデバイスについての情報の内容は、ステップ２０１に説明されるものと同一であり、したがって、本明細書に説明されないであろう。
【００５６】
本開示の実施形態はさらに、構成更新方法を提供する。本方法は、
ユーザプレーンデバイスによって、容量更新メッセージを制御プレーンデバイスに伝送することであって、容量更新メッセージは、ユーザプレーンデバイスについての情報を含む、ことと、
ユーザプレーンデバイスによって、容量更新肯定応答メッセージまたは容量更新失敗メッセージを制御プレーンデバイスから受信することであって、容量更新肯定応答メッセージは、制御プレーンデバイスについての情報を含み、容量更新失敗メッセージは、制御プレーンデバイスについての情報と、容量更新が失敗する理由とを含む、ことと
を含む。
【００５７】
いくつかの実施形態では、制御プレーンデバイスについての情報の内容は、ステップ２０１に説明されるものと同一であり、したがって、本明細書に説明されないであろう。
【００５８】
いくつかの実施形態では、ユーザプレーンデバイスについての情報の内容は、ステップ２０１に説明されるものと同一であり、したがって、本明細書に説明されないであろう。
【００５９】
本開示の実施形態はさらに、制御プレーンデバイスを提供する。制御プレーンデバイスは、プロセッサと、メモリと、通信バスとを含む。
【００６０】
通信バスは、プロセッサとメモリとの間に接続通信を実装するように構成される。
【００６１】
プロセッサは、メモリ内に記憶される接続プログラムを実行し、以下のステップ、すなわち、
接続を確立するための第１の要求メッセージをユーザプレーンデバイスに伝送することであって、接続を確立するための第１の要求メッセージは、制御プレーンデバイスについての情報を含む、ことと、
接続が正常に確立されていることを示す第１の応答メッセージまたは接続が確立されることができないことを示す第１の応答メッセージをユーザプレーンデバイスから受信することであって、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む、ことと
を実装するように構成される。
【００６２】
いくつかの実施形態では、制御プレーンデバイスについての情報の内容は、ステップ２０１に説明されるものと同一であり、したがって、本明細書に説明されないであろう。
【００６３】
いくつかの実施形態では、ユーザプレーンデバイスについての情報の内容は、ステップ２０１に説明されるものと同一であり、したがって、本明細書に説明されないであろう。
【００６４】
本開示の実施形態はさらに、ユーザプレーンデバイスを提供する。ユーザプレーンデバイスは、プロセッサと、メモリと、通信バスとを含む。
【００６５】
通信バスは、プロセッサとメモリとの間に接続通信を実装するように構成される。
【００６６】
プロセッサは、メモリ内に記憶される接続プログラムを実行し、以下のステップ、すなわち、
接続を確立するための第２の要求メッセージを制御プレーンデバイスに伝送することであって、接続を確立するための第２の要求メッセージは、ユーザプレーンデバイスについての情報を含む、ことと、
接続が正常に確立されていることを示す第２の応答メッセージまたは接続が確立されることができないことを示す第２の応答メッセージを制御プレーンデバイスから受信することであって、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む、ことと
を実装するように構成される。
【００６７】
いくつかの実施形態では、制御プレーンデバイスについての情報の内容は、ステップ２０１に説明されるものと同一であり、したがって、本明細書に説明されないであろう。
【００６８】
いくつかの実施形態では、ユーザプレーンデバイスについての情報の内容は、ステップ２０１に説明されるものと同一であり、したがって、本明細書に説明されないであろう。
【００６９】
本開示の実施形態はさらに、ユーザプレーンデバイスを提供する。ユーザプレーンデバイスは、プロセッサと、メモリと、通信バスとを含む。
【００７０】
通信バスは、プロセッサとメモリとの間に接続通信を実装するように構成される。
【００７１】
プロセッサは、メモリ内に記憶される接続プログラムを実行し、以下のステップ、すなわち、
容量更新メッセージを制御プレーンデバイスに伝送することであって、容量更新メッセージは、ユーザプレーンデバイスについての情報を含む、ことと、
容量更新肯定応答メッセージまたは容量更新失敗メッセージを制御プレーンデバイスから受信することであって、容量更新肯定応答メッセージは、制御プレーンデバイスについての情報を含み、容量更新失敗メッセージは、制御プレーンデバイスについての情報と、容量更新が失敗する理由とを含む、ことと
を実装するように構成される。
【００７２】
いくつかの実施形態では、制御プレーンデバイスについての情報の内容は、ステップ２０１に説明されるものと同一であり、したがって、本明細書に説明されないであろう。
【００７３】
いくつかの実施形態では、ユーザプレーンデバイスについての情報の内容は、ステップ２０１に説明されるものと同一であり、したがって、本明細書に説明されないであろう。
【００７４】
図５に示されるように、本開示の実施形態はさらに、制御プレーンデバイスを提供する。制御プレーンデバイスは、第１の伝送ユニット５０１と、第１の受信ユニット５０２とを含む。
【００７５】
第１の伝送ユニット５０１は、接続を確立するための第１の要求メッセージをユーザプレーンデバイスに伝送するように構成され、接続を確立するための第１の要求メッセージは、制御プレーンデバイスについての情報を含む。
【００７６】
第１の受信ユニット５０２は、接続が正常に確立されていることを示す第１の応答メッセージまたは接続が確立されることができないことを示す第１の応答メッセージをユーザプレーンデバイスから受信するように構成され、接続が正常に確立されていることを示す第１の応答メッセージは、ユーザプレーンデバイスについての情報を含み、接続が確立されることができないことを示す第１の応答メッセージは、ユーザプレーンデバイスについての情報と、接続が確立されることができない理由とを含む。
【００７７】
いくつかの実施形態では、第１の受信ユニット５０２はさらに、動作管理保守プラットフォームから制御プレーンデバイスについての構成情報を取得するように構成され、制御プレーンデバイスについての構成情報は、制御プレーンデバイスについての情報を含む。
【００７８】
いくつかの実施形態では、制御プレーンデバイスについての情報は、
制御プレーンデバイスのＩＤと、
ユーザプレーンデバイスによる制御プレーンデバイスとのインターフェースを確立するための１つ以上のＩＰアドレスについての情報と、
のうちのいずれか１つまたはそれらの組み合わせを含む。
いくつかの実施形態では、ユーザプレーンデバイスについての情報は、
ユーザプレーンデバイスのＩＤと、
ユーザプレーンデバイスによる制御プレーンデバイスとのインターフェースを確立するための１つ以上のＩＰアドレスについての情報と、
ユーザプレーンデバイスの容量情報と
のうちのいずれか１つまたはそれらの組み合わせを含む。
【００７９】
いくつかの実施形態では、ユーザプレーンデバイスの容量情報は、
ユーザプレーンデバイスの帯域幅情報と、
ユーザプレーンデバイスによってサポートされるＵＥの最大数と、
ユーザプレーンデバイスによってサポートされる分散処理ユニットの最大数と
のうちのいずれか１つまたはそれらの組み合わせを含む。
【００８０】
本開示のいくつかの実施形態では、ユーザプレーンデバイスの帯域幅情報は、ユーザプレーンデバイスによってサポートされるデータ速度および周波数帯域帯域幅についての情報を含む。
【００８１】
いくつかの実施形態では、ユーザプレーンデバイスの容量情報は、
ユーザプレーンデバイスに接続される分散処理ユニットについての情報と、
ユーザプレーンデバイスに接続される制御プレーンデバイスについての情報と、
ユーザプレーンデバイスによってサポートされるＰＬＭＮについての構成情報と、
ユーザプレーンデバイスによってサポートされるネットワークスライスについての構成情報と、
ユーザプレーンデバイスによってサポートされるユーザプレーンデータに関するＰＤＣＰおよびＳＤＡＰのバージョン数情報と、
ユーザプレーンデバイスによってサポートされるセキュアな処理容量についての情報と
のうちのいずれか１つまたはそれらの組み合わせを含む。
【００８２】
本開示のいくつかの実施形態では、ユーザプレーンデバイスに接続される制御プレーンデバイスについての情報は、ユーザプレーンデバイスに接続される制御プレーンデバイスのリストおよびユーザプレーンデバイスと各制御プレーンデバイスとの間の接続属性情報のうちの少なくとも１つを含む。
【００８３】
本開示のいくつかの実施形態では、ユーザプレーンデバイスに接続される分散処理ユニットについての情報は、ユーザプレーンデバイスに接続される分散処理ユニットのリストと、ユーザプレーンデバイスと各分散処理ユニットとの間の接続属性情報とを含む。
【００８４】
いくつかの実施形態では、接続属性情報は、
接続帯域幅と、
サポートされる速度と、
接続遅延と
のうちのいずれか１つまたはそれらの組み合わせを含む。
【００８５】
本開示のいくつかの実施形態では、ユーザプレーンデバイスによってサポートされるＰＬＭＮについての構成情報は、ユーザプレーンデバイスによってサポートされるＰＬＭＮについてのタイプ情報と、各ＰＬＭＮタイプによって占有されるリソース割当情報とを含む。
【００８６】
本開示のいくつかの実施形態では、ユーザプレーンデバイスによってサポートされるスライスについての構成情報は、ユーザプレーンデバイスによってサポートされるスライスについてのタイプ情報と、各スライスタイプによって占有されるリソース割当情報とを含む。
【００８７】
いくつかの実施形態では、ユーザプレーンデバイスによってサポートされるセキュアな処理容量についての情報は、限定ではないが、ユーザプレーンデバイスによってサポートされる暗号化アルゴリズム、完全性保護アルゴリズム、およびヘッダ圧縮アルゴリズムの情報を含む。
【００８８】
いくつかの実施形態では、ユーザプレーンデバイスの容量情報はさらに、ユーザプレーンデバイスによってサポートされる機能についての情報を含み、機能についての情報は、
複製ベアラがサポートされているかどうかに関する情報と、
分割ベアラがサポートされているかどうかに関する情報と、
ＳＣＧ分割ベアラがサポートされているかどうかに関する情報と、
サポートされるＲＡＴのタイプ情報と、
ＮＲ  ＰＤＣＰがサポートされているかどうかに関する情報と、
ジャンボフレームがサポートされているかどうかに関する情報と
のうちのいずれか１つまたはそれらの組み合わせを含む。
【００８９】
図６に示されるように、本開示の実施形態はさらに、ユーザプレーンデバイスを提供する。ユーザプレーンデバイスは、第２の伝送ユニット６０１と、第２の受信ユニット６０２とを含む。
【００９０】
第２の伝送ユニット６０１は、接続を確立するための第２の要求メッセージを制御プレーンデバイスに伝送するように構成され、接続を確立するための第２の要求メッセージは、ユーザプレーンデバイスについての情報を含む。
第２の受信ユニット６０２は、接続が正常に確立されていることを示す第２の応答メッセージまたは接続が確立されることができないことを示す第２の応答メッセージを制御プレーンデバイスから受信するように構成され、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む。
【００９１】
第２の受信ユニット６０２はさらに、動作管理保守プラットフォームからユーザプレーンデバイスの構成情報を取得するように構成され、ユーザプレーンデバイスの構成情報は、ユーザプレーンデバイスについての情報を含むことに留意されたい
【００９２】
いくつかの実施形態では、制御プレーンデバイスについての情報の内容は、上記に説明されるものと同一であり、したがって、本明細書に説明されないであろう。
【００９３】
いくつかの実施形態では、ユーザプレーンデバイスについての情報の内容は、上記に説明されるものと同一であり、したがって、本明細書に説明されないであろう。
【００９４】
図７に示されるように、本開示はさらに、ユーザプレーンデバイスを提供する。ユーザプレーンデバイスは、第３の伝送ユニット７０１と、第３の受信ユニット７０２とを含む。
【００９５】
第３の伝送ユニット７０２は、容量更新メッセージを制御プレーンデバイスに伝送するように構成され、容量更新メッセージは、ユーザプレーンデバイスについての情報を含む。
【００９６】
第３の受信ユニット７０２は、容量更新肯定応答メッセージまたは容量更新失敗メッセージを制御プレーンデバイスから受信するように構成され、容量更新肯定応答メッセージは、制御プレーンデバイスについての情報を含み、容量更新失敗メッセージは、制御プレーンデバイスについての情報と、容量更新が失敗する理由とを含む。
【００９７】
第３の伝送ユニット７０１は、接続を確立するための第２の要求メッセージを制御プレーンデバイスに伝送するように構成され、接続を確立するための第２の要求メッセージは、ユーザプレーンデバイスについての情報を含むことに留意されたい。
【００９８】
第３の受信ユニット７０２はさらに、動作管理保守プラットフォームからユーザプレーンデバイスの構成情報を取得し、ユーザプレーンデバイスの構成情報は、ユーザプレーンデバイスについての情報を含み、接続が正常に確立されていることを示す第２の応答メッセージまたは接続が確立されることができないことを示す第２の応答メッセージを制御プレーンデバイスから受信するように構成され、接続が正常に確立されていることを示す第２の応答メッセージは、制御プレーンデバイスについての情報を含み、接続が確立されることができないことを示す第２の応答メッセージは、制御プレーンデバイスについての情報と、接続が確立されることができない理由とを含む。
【００９９】
いくつかの実施形態では、制御プレーンデバイスについての情報の内容は、上記に説明されるものと同一であり、したがって、本明細書に説明されないであろう。
【０１００】
いくつかの実施形態では、ユーザプレーンデバイスについての情報の内容は、上記に説明されるものと同一であり、したがって、本明細書に説明されないであろう。
【０１０１】
本開示の実施形態はさらに、本開示をさらに解説するためにいくつかの実施例を提供する。実施例は、本開示をより良好に例証するものにすぎず、いかようにも不適切に本開示を限定しないことに留意されたい。以下の実施形態は、別個に配置され、異なる実施形態の技術的特徴は、共同使用のために１つの実施形態に組み合わせられてもよい。接続を確立するための第１の要求メッセージ、接続を確立するための第２の要求メッセージ、接続が正常に確立されていることを示す第１の応答メッセージ、接続が確立されることができないことを示す第１の応答メッセージ、接続が正常に確立されていることを示す第２の応答メッセージ、接続が確立されることができないことを示す第２の応答メッセージ、容量更新メッセージ、容量更新肯定応答メッセージ、または容量更新失敗メッセージの名称は、本開示における方法の実装に影響を及ぼすことなく変更されてもよい。
【０１０２】
図８は、本開示のある実施形態による、第１のネットワーク要素の制御プレーンデバイス（ＣＰ）と第１のネットワーク要素のユーザプレーンデバイス（ＵＰ）と第２のネットワーク要素との間のインターフェースを図示する、構造図である。ＣＰおよびＵＰは、それぞれ、第１のネットワーク要素の２つの異なるＣＵ内に位置し、ユーザプレーンデータおよび制御プレーンデータの分離を実装する。容易な説明のために、第１のネットワーク要素のＣＰデバイスと第２のネットワーク要素との間のインターフェースは、Ｆ１−Ｃインターフェースであり、第１のネットワークのＵＰデバイスと第２のネットワーク要素との間のインターフェースは、Ｆ１−Ｕインターフェースであり、ＣＰとＵＰとの間のインターフェースは、Ｅ１インターフェースである。
【０１０３】
（実施例１）
図９は、本開示のある実施形態による、ＵＰとの接続を確立するために、ＣＰによって開始される要求を図示する、フローチャートである。
【０１０４】
接続を確立するための第１の要求メッセージの方向は、ＣＰ−＞ＵＰである。
ソースＣＰは、接続を確立するための第１の要求メッセージをＵＰに伝送し、メッセージは、限定ではないが、以下、すなわち、
ソースＣＰの識別情報
を含む。
【０１０５】
接続が正常に確立されていることを示す第１の応答メッセージの方向は、ＵＰ−＞ＣＰである。
【０１０６】
接続を確立するための第１の要求メッセージをＣＰから受信した後、標的ＵＰは、接続が正常に確立されていることを示す第１の応答メッセージをＣＰに伝送し、メッセージは、限定ではないが、以下、すなわち、
標的ＵＰの識別情報と、
標的ＵＰの容量情報と
を含む。
【０１０７】
ＵＰの容量情報は、限定ではないが、以下、すなわち、
ＵＰの帯域幅情報と、
ＵＰによってサポートされるＵＥの最大数と、
ＵＰによってサポートされるＤＵの最大数と、
ＵＰに接続されるＤＵのリストおよび、限定ではないが、遅延および帯域幅等の情報を含む、標的ＵＰと各ＤＵとの間の接続属性情報と、
ＵＰに接続されるＣＰのリストおよび、限定ではないが、遅延および帯域幅等の情報を含む、標的ＵＰと各ＣＰとの間の接続属性情報と、
ＵＰによってサポートされるＰＬＭＮに関連する構成情報であって、限定ではないが、ＰＬＭＮのタイプ情報と、各ＰＬＭＮによって占有されるリソース割当情報とを含む、情報と、
ＵＰによってサポートされるスライスに関連する構成情報であって、限定ではないが、スライスのタイプ情報と、各スライスによって占有されるリソース割当情報とを含む、情報と、
ＵＰによってサポートされるＰＤＣＰ−ＵおよびＳＤＡＰのバージョン数情報と、
ＵＰによってサポートされるセキュアな処理容量であって、限定ではないが、暗号化アルゴリズム、完全性保護アルゴリズム、およびヘッダ圧縮アルゴリズムの情報を含む、セキュアな処理容量と、
他の随意の機能に関するサポート情報であって、限定ではないが、複製ベアラがサポートされているかどうかに関する情報を含む、サポート情報と
を含む。
【０１０８】
接続が確立されることができないことを示す第１の応答メッセージの方向は、ＵＰ−＞ＣＰである。
【０１０９】
接続を確立するための第１の要求メッセージをＣＰから受信した後、標的ＵＰは、接続が確立されることができないことを示す第１の応答メッセージをＣＰに伝送し、メッセージは、限定ではないが、以下、すなわち、
標的ＵＰのＩＰアドレス情報と、
失敗理由と
を含む。
【０１１０】
（実施例２）
図１０は、本開示のある実施形態による、ＣＰとの接続を確立するために、ＵＰによって開始される要求を図示する、フローチャートである。
【０１１１】
接続を確立するための第２の要求メッセージの方向は、ＵＰ−＞ＣＰである。
【０１１２】
ソースＵＰは、接続を確立するための第２の要求メッセージをＣＰに伝送し、メッセージは、限定ではないが、以下、すなわち、
ソースＵＰの識別情報と、
ソースＵＰの容量情報と
を含む。
【０１１３】
ＵＰの容量情報は、限定ではないが、以下、すなわち、
ＵＰの帯域幅情報と、
ＵＰによってサポートされるＵＥの最大数と、
ＵＰによってサポートされるＤＵの最大数と、
ＵＰに接続されるＤＵのリストおよび、限定ではないが、遅延および帯域幅等の情報を含む、ソースＵＰと各ＤＵとの間の接続属性情報と、
ＵＰに接続されるＣＰのリストおよび、限定ではないが、遅延および帯域幅等の情報を含む、ソースＵＰと各ＣＰとの間の接続属性情報と、
ＵＰによってサポートされるＰＬＭＮに関連する構成情報であって、限定ではないが、ＰＬＭＮのタイプ情報と、各ＰＬＭＮによって占有されるリソース割当情報とを含む、情報と、
ＵＰによってサポートされるスライスに関連する構成情報であって、限定ではないが、スライスのタイプ情報と、各スライスによって占有されるリソース割当情報とを含む、情報と、
ＵＰによってサポートされるＰＤＣＰ−ＵおよびＳＤＡＰのバージョン数情報と、
ＵＰによってサポートされるセキュアな処理容量であって、限定ではないが、暗号化アルゴリズム、完全性保護アルゴリズム、およびヘッダ圧縮アルゴリズムの情報を含む、セキュアな処理容量と、
他の随意の機能に関するサポート情報であって、限定ではないが、複製ベアラがサポートされているかどうかに関する情報を含む、サポート情報と
を含む。
【０１１４】
接続が正常に確立されていることを示す第２の応答メッセージの方向は、ＣＰ−＞ＵＰである。
【０１１５】
接続を確立するための第２の要求メッセージをＵＰから受信した後、標的ＣＰは、接続が正常に確立されていることを示す第２の応答メッセージをＵＰに伝送し、メッセージは、限定ではないが、以下、すなわち、
標的ＣＰの識別情報
を含む。
接続が確立されることができないことを示す第２の応答メッセージの方向は、ＣＰ−＞ＵＰである。
【０１１６】
接続を確立するための第２の要求メッセージをＵＰから受信した後、標的ＣＰは、接続が確立されることができないことを示す第２の応答メッセージをＵＰに伝送し、メッセージは、限定ではないが、以下、すなわち
標的ＣＰの識別情報と、
失敗理由と
を含む。
【０１１７】
（実施例３）
図１１は、本開示のある実施形態による、ＣＰとＵＰとの間に実装されるＵＰの構成更新を図示する、フローチャートである。
【０１１８】
容量更新メッセージの方向は、ＵＰ−＞ＣＰである。
インターフェース構成更新が必要とされるとき、ソースＵＰは、容量更新メッセージを、ソースＵＰに現在接続されているＣＰのリスト内の全てのＣＰに伝送し、メッセージは、限定ではないが、以下、すなわち、
ソースＵＰの識別情報と、
ソースＵＰの更新された容量更新情報と
を含む。
【０１１９】
ＵＰの容量更新情報は、限定ではないが、以下、すなわち、
ソースＵＰの帯域幅情報と、
ソースＵＰによってサポートされるＵＥの最大数と、
ソースＵＰによってサポートされるＤＵの最大数と、
ソースＵＰに接続されるＤＵのリストおよび、限定ではないが、遅延および帯域幅等の情報を含む、ソースＵＰと各ＤＵとの間の接続属性情報と、
ソースＵＰに接続されるＣＰのリストおよび、限定ではないが、遅延および帯域幅等の情報を含む、ソースＵＰと各ＣＰとの間の接続属性情報と、
ソースＵＰによってサポートされるＰＬＭＮに関連する構成情報であって、限定ではないが、ＰＬＭＮのタイプ情報と、各ＰＬＭＮによって占有されるリソース割当情報とを含む、情報と、
ソースＵＰによってサポートされるスライスに関連する構成情報であって、限定ではないが、スライスのタイプ情報と、各スライスによって占有されるリソース割当情報とを含む、情報と、
ソースＵＰによってサポートされるＰＤＣＰ−ＵおよびＳＤＡＰのバージョン数情報と、
ソースＵＰによってサポートされるセキュアな処理容量であって、限定ではないが、暗号化アルゴリズム、完全性保護アルゴリズム、およびヘッダ圧縮アルゴリズムの情報を含む、セキュアな処理容量と、
他の随意の機能に関するサポート情報であって、限定ではないが、複製ベアラがサポートされているかどうかに関する情報を含む、サポート情報と
を含む。
【０１２０】
容量更新肯定応答メッセージの方向は、ＣＰ−＞ＵＰである。
容量更新メッセージをＵＰから受信した後、標的ＣＰは、容量更新肯定応答メッセージをＵＰに伝送し、メッセージは、限定ではないが、以下、すなわち、
標的ＣＰの識別情報
を含む。
【０１２１】
容量更新失敗メッセージの方向は、ＣＰ−＞ＵＰである。
標的ＣＰは、容量更新メッセージをＵＰから受信した後、容量更新失敗メッセージをＵＰに伝送し、メッセージは、限定ではないが、以下、すなわち、
標的ＣＰの識別情報と、
失敗理由と
を含む。
【０１２２】
本開示の実施形態は、コンピュータ記憶媒体を提供する。コンピュータ記憶媒体はさらに、コンピュータ実行可能命令を記憶するように構成され、実行された後、コンピュータ実行可能命令は、上記に説明される技術的ソリューションのうちの１つ以上によって提供される接続方法または構成更新方法を実装することが可能である。
【０１２３】
本実施形態によって提供されるコンピュータ記憶媒体は、読取専用記憶媒体、フラッシュメモリ、およびランダム記憶媒体等の種々のタイプの記憶媒体であってもよい。いくつかの実施形態では、記憶媒体は、非一過性記憶媒体を含んでもよい。
【０１２４】
本開示では、種々の実施形態の特徴は、対立しない場合、相互に組み合わせられてもよい。各実施形態は、本開示の最適な実装モードにすぎず、本開示の範囲を限定することを意図していない。
【０１２５】
上記に説明される方法におけるステップの全てまたは一部は、１つ以上のプログラムによって命令される関連するハードウェアによって実装され得、これらのプログラムは、ＲＯＭ、磁気ディスク、光学ディスク、または同等物等のコンピュータ可読記憶媒体内に記憶され得ることが、当業者によって理解されるであろう。随意に、上記に説明される実施形態におけるステップの全てまたは一部はまた、１つ以上の集積回路を使用することによって実装されてもよい。故に、上記に説明される実施形態におけるモジュール／ユニットは、ハードウェアまたはソフトウェア機能モジュールによって実装されてもよい。本開示は、ハードウェアおよびソフトウェアの任意の具体的組み合わせに限定されない。
【０１２６】
上記は、本開示の実施例にすぎず、本開示を限定することを意図しておらず、当業者にとって、本開示は、種々の修正および変形例を有してもよい。本開示の精神および原理内で行われる任意の修正、同等の代用、改良、および同等物は、本開示の範囲内に該当する。
【図１】
0006944041.tif 000002
【図２】
0006944041.tif 000003
【図３】
0006944041.tif 000004
【図４】
0006944041.tif 000005
【図５】
0006944041.tif 000006
【図６】
0006944041.tif 000007
【図７】
0006944041.tif 000008
【図８】
0006944041.tif 000009
【図９】
0006944041.tif 000010
【図１０】
0006944041.tif 000011
【図１１】
0006944041.tif 000012